(57)【特許請求の範囲】
【請求項１】
トランスポートチャネルと複数のロジカルチャネルとの間のデータ伝送を仲介するＭＡＣサブレイヤに置かれ、複数のロジカルチャネルから受け取ったデータを統合するとともに、受信側のＭＡＣサブレイヤに置かれた対向エンティティに渡す制御情報を付加し、さらに送信順序を表わす送信順序情報を付加してトランスポートチャネルに送り出す第１のデータ処理部と、
物理レイヤに置かれ、前記第１のデータ処理部からトランスポートチャネルを経由して送られてきたデータを受け取って無線で送信するデータ送信部とを備えた無線送信装置、および、
物理レイヤに置かれ、無線で送信されてきたデータを受信してトランスポートチャネルに送り込むデータ受信部と、トランスポートチャネルと複数のロジカルチャネルとの間のデータ伝送を仲介するＭＡＣサブレイヤに置かれ、トランスポートチャネルから受け取ったデータに付加されている制御情報に応じた動作を行ない、該データから該制御情報を取り外しさらに各ロジカルチャネルに対応するデータに分離して各ロジカルチャネルに分配する第２のデータ処理部とを備え、
前記第２のデータ処理部が、前記受け取ったデータに付加されている送信順序情報に基づいて送信順序を判定して、該送信順序を外れて遅れて受信したデータであるかを判定し、該遅れて受信したデータに付加された制御情報については、該制御情報が遅れて到達したことに対応する動作を行なうものである無線受信装置を備えたことを特徴とする無線通信システム。
【請求項２】
前記第１のデータ処理部は、前記制御情報内に送信順序情報を付加するものであることを特徴とする請求項１記載の無線通信システム。
【請求項３】
前記第１のデータ処理部は、前記制御情報のうちの特定の種別の制御情報を付加する場合に、該制御情報を付加するとともに、さらに送信順序情報を付加してトランスポートチャネルに送り出すものであることを特徴とする請求項１又は２記載の無線通信システム。
【発明の詳細な説明】
【技術分野】
【０００１】
本発明は、無線装置、無線通信システム、および無線情報通知方法に関する。
【背景技術】
【０００２】
近年、３Ｇ（３ｒｄ  ｇｅｎｅｒａｔｉｏｎ）と呼ばれる無線通信システムのプロトコルが広く採用されている（非特許文献１）。
【０００３】
この３Ｇにもいくつかの発展段階があり、ＦＯＭＡなどで採用されているもともとの３Ｇのほか、通信速度が更に高速化された、３．５ＧあるいはＨＳＤＰＡと呼ばれるプロトコルを採用した携帯電話機も登場してきており、さらに現在、Ｓｕｐｅｒ３Ｇあるいは３．９Ｇと呼ばれるプロトコルが検討されている。
【０００４】
この３Ｇのグループの無線通信システムにおけるプロトコルは複数のレイヤに分かれており、そのうちのレイヤ２は、ＭＡＣ（Ｍｅｄｉｕｍ  Ａｃｃｅｓｓ  Ｃｏｎｔｒｏｌ）と、ＲＬＣ（Ｒａｄｉｏ  Ｌｉｎｋ  Ｃｏｎｔｒｏｌ）と、ＰＤＣＰ（Ｐａｃｋｅｔ  Ｄａｔｅ  Ｃｏｎｖｅｒｇｅｎｃｅ  Ｐｒｏｔｏｃｏｌ）とからなる３つのサブレイヤで構成されている。
【０００５】
図１は、プロトコル構成図である。
【０００６】
レイヤ１は物理層と呼ばれるレイヤであり、このレイヤ１は実際の通信を担う部分である。
【０００７】
また、その上層に位置するレイヤ２は、ＭＡＣとＲＬＣとＰＤＣＰの３つのサブレイヤで構成されている。
【０００８】
ここで、１つのレイヤ又は１つのサブレイヤに配置された１つの処理機能の塊りはエンティティ（ｅｎｔｉｔｙ）と呼ばれており、ＰＤＣＰエンティティとＲＬＣエンティティは、各ＬＣＨ（Ｌｏｇｉｃａｌ  Ｃｈａｎｎｅｌ：ロジカルチャネル）に対応して、使用するＬＣＨの数だけ存在し、それぞれが１対１で対応してＰＤＵ（Ｐｒｏｔｏｃｏｌ  Ｄａｔａ  Ｕｎｉｔ）の送受信を行なっている。ここで、ＰＤＣＰエンティティでは、３．９Ｇ（Ｓｕｐｅｒ３Ｇ）ではデータの秘匿等の処理が行なわれ、ＲＬＣエンティティでは、データの再送制御等の処理が行なわれる。
【０００９】
また、ＭＡＣエンティティは、各ＲＬＣエンティティから各ＬＣＨを介して転送されてきたＰＤＵを１つのＰＤＵに統合してＴＲＣＨ（Ｔｒａｎｓｐｏｒｔ  Ｃｈａｎｎｅｌ）を介して下位レイヤであるレイヤ１に転送する。
【００１０】
受信側では、ＭＡＣエンティティは、レイヤ１からＴＲＣＨを介して転送されてきたＰＤＵを１つ又は複数のＰＤＵに分割し、分割した各ＰＤＵを各ＬＣＨを介して各ＲＬＣエンティティに転送している。
【００１１】
尚、レイヤ３も存在するが、後述する本発明には直接には無関係なので、ここでは図示および説明は省略する。
【００１２】
ここで、各ＰＤＵには、ユーザデータだけでなく、対向側のエンティティに必要な制御情報も付与して対向側と情報交換できる仕組みが３ＧＰＰ（３ｒｄ  Ｇｅｎｅｒａｔｉｏｎ  Ｐａｒｔｎｅｒｓｓｈｉｐ  Ｐｒｏｊｅｃｔ）で検討されている。
【００１３】
この検討によれば、送信側の各エンティティは、受信側の対向エンティティに対し制御情報を伝えることができる。すなわち、例えばＰＤＣＰサブレイヤのＬＣＨ＃１のＰＤＣＰエンティティは、データに制御情報を付与してＲＬＣエンティティに渡すことにより、受信側のＬＣＨ＃１のＰＤＣＰエンティティではその制御情報を参照しその制御情報に従って動作することができる。またこれと同様に、例えばＬＣＨ＃２のＲＬＣエンティティは、データに制御情報を付与してＭＡＣエンティティに渡すことにより、受信側のＬＣＨ＃２のＲＬＣエンティティでその制御情報を参照しその制御情報に従って動作することができる。ＭＡＣエンティティについても同様である。
【００１４】
ここでは、ＭＡＣエンティティで付与される制御情報について着目しており、以下では、ＭＡＣエンティティで付与される制御情報について説明する。
【００１５】
図２は、ＭＡＣエンティティで付与された制御情報を含むＰＤＵのデータフォーマットを示す図である。この図２では、送信側の、ＲＬＣサブレイヤとＭＡＣサブレイヤのみ示されている。
【００１６】
ここに示すＰＤＵは、４本のロジカルチャネルのＲＬＣサブレイヤに置かれた４つのＲＬＣエンティティから受け取ったＳＤＵが統合され、さらにヘッダＨとＭＡＣ制御情報が付与されたデータフォーマットを有している。このＰＤＵはレイヤ１に渡され、レイヤ１は、このＰＤＵを受信側に向けて無線で送信する。
【００１７】
図３は、ＭＡＣエンティティで制御情報を付与する場面のデータフローを示す図である。
【００１８】
上述のように、送信側のＭＡＣエンティティでは、送信側のＲＬＣサブレイヤに置かれた４つのＲＬＣエンティティのＳＤＵが統合され、さらにヘッダＨと制御情報ＣＯＮＴが付与されて１つのＰＤＵが生成されて、そのＰＤＵが送信され、受信側では、そのＰＤＵを受信し、受信側のＭＡＣエンティティで、ヘッダＨと制御情報が取り外され各ＬＣＨごとのＳＤＵに分離されて各ＲＬＣエンティティに渡される。受信側ＭＡＣエンティティは、その取り外した制御情報に従って動作する、
図３には、一回の通信の間、以上のデータフローが繰り返されることが示されている。尚、ここでは分かり易くするため、一方の送信側から他方の受信側にのみデータを送信しているように示されているが、実際の通信では、送信と受信が互いに入り組んで複数回繰り返される。
【非特許文献１】ｈｔｔｐ：／／ｗｗｗ．３ｇｐｐ．ｏｒｇ／
【発明の開示】
【発明が解決しようとする課題】
【００１９】
図４は、図２，図３を参照して説明したデータフローにおける問題点の説明図である。
【００２０】
ここには、ＰＤＵ＃１，ＰＤＵ＃２，ＰＤＵ＃３のＰＤＵが示されており、最初のＰＤＵ＃１は、正常に受信され、２番目のＰＤＵ＃２は例えば通信路の不良等により受信に失敗し、３番目のＰＤＵ＃３は正常に受信されたものとする。受信に失敗したＰＤＵ＃２は、ここでは、ＰＤＵ＃３よりも後になって再送され、再送されたＰＤＵ＃２は正常に受信されたものとする。
【００２１】
受信側のＭＡＣエンティティは、先ずはＰＤＵ＃１を受信した時点でそのＰＤＵ＃１の制御情報に従って動作し、次に、ＰＤＵ＃２は受信に失敗したためその時点で制御情報に従う動作は行なわれず、さらにその次のＰＤＵ＃３を受信した時点でそのＰＤＵ＃３の制御情報に従って動作し、さらにその後、再送されてきたＰＤＵ＃２の制御情報に従って動作する。すなわち、本来は、ＰＤＵ＃３の制御情報が最新の制御情報であるにもかかわらず、この図４の場面では、受信側ＭＡＣエンティティは、再送されてきたＰＤＵ＃２の制御情報が最新であるかのように動作し、誤った動作が行われる可能性がある。
【００２２】
例えば、この図３に示す送信側が基地局、受信側が携帯電話機であるとし、ＰＤＵ＃１では、基地局から携帯電話機に向けて、基地局での処理が混雑しているため携帯電話機から基地局に向けて送信するデータのデータ量を下げるように指示する制御情報を送信したものとする。また、ＰＤＵ＃２では、基地局での処理が空いたため、携帯電話機から基地局に向けて送信するデータのデータ量を大きく上げてよいことを指示する制御情報を送信したものとする。さらに、ＰＤＵ＃３では、基地局での処理が再び混雑したため携帯電話機が基地局に向けて送信するデータのデータ量を大きく下げることを指示する制御情報を送信したものとする。
【００２３】
この場合、ＰＤＵ＃２よりもＰＤＵ＃３の方が後から受信されていれば、ＰＤＵ＃３を受信した後は携帯電話機はデータ量を大幅に制限しながら基地局に向けて送信することになるが、ＰＤＵ＃２の方が遅れて受信されたため、携帯電話機は、基地局に向けてデータ量を大きく上げて送信することができるものと勘違いすることになる。この場合、基地局では処理能力を超えてしまい、携帯電話機から送信されてきたデータを処理しきれない状態が生じるおそれがある。
【００２４】
また、ＰＤＵ＃２の制御情報が受信側を初期状態に戻すリセットを指示する制御信号であった場合、ＰＤＵ＃２が再送されてきた、本来意図していないタイミングでリセットされてしまい、正常に通信されないおそれがある。
【００２５】
本発明は、上記事情に鑑み、再送されてきたデータが、本来はもっと前のタイミングで受信されるべきデータであったことを認識することができるようにデータを送信する無線装置および無線情報通知方法、その無線装置を備えた無線通信システム、送信側での工夫に頼ることなく、受信側で、本来はもっと前のタイミングで受信されるべきデータであったことを認識することができる無線装置および無線情報通知方法を提供することを目的とする。
【課題を解決するための手段】
【００２６】
上記目的を達成する本発明の無線装置のうちの第１の無線装置は、
トランスポートチャネルと複数のロジカルチャネルとの間のデータ伝送を仲介するＭＡＣサブレイヤに置かれ、複数のロジカルチャネルから受け取ったデータを統合するとともに、受信側のＭＡＣサブレイヤに置かれた対向エンティティに渡す制御情報を付加してトランスポートチャネルに送り出すデータ処理部と、
物理レイヤに置かれ、上記データ処理部からトランスポートチャネルを経由して送られてきたデータを受け取って無線で送信するデータ送信部とを備えた無線装置において、
上記データ処理部が、複数のロジカルチャネルから受け取ったデータを統合し、上記制御情報を付加するとともに、さらに送信順序を表わす送信順序情報を付加してトランスポートチャネルに送り出すものであることを特徴とする。
【００２７】
本発明の第１の無線装置は、上記データ処理部（ＭＡＣエンティティ）が制御情報を付加するとともに送信順序情報を付加したデータ（ＰＤＵ）を構成するものであり、したがって対向側の受信ＭＡＣエンティティでは、今回受信したデータ（ＰＤＵ）とそれよりも前に受信したデータ（ＰＤＵ）との本来受信すべきタイミングの前後を知ることができ、遅れて受信したデータに付与されていた制御情報に従った不用意な動作を避けることができる。
【００２８】
ここで上記データ処理部は、制御情報のうちの特定の種別の制御情報を付加する場合に、その制御情報を付加するとともに、さらに送信順序情報を付加してトランスポートチャネルに送り出すものであってもよい。
【００２９】
制御情報の種類によっては、受信の前後を問わない制御情報もあり、受信の前後が問題となる制御情報にのみ、送信順序情報を付与してもよい。
【００３０】
また、上記データ処理部は、上記制御情報内に送信順序情報を付加するものであってもよく、あるいは、上記データ処理部は、ヘッダ内に送信順序情報を付加するものであってもよい。
【００３１】
受信側のＭＡＣエンティティでは、上記データ処理部（送信側のＭＡＣエンティティ）が付与したヘッダと制御情報を参照することができ、したがって送信順序情報は、制御情報内に付加されていてもよく、ヘッダ内に付加されていてもよい。
【００３２】
さらに、本発明の第１の無線装置について、上記データ処理部は、送信順序情報として、最初の送信時の現在時刻を表わす時刻情報を付加するものであってもよい。
【００３３】
送信順序情報は送信の順序の情報さえあれば問題ないが、最初の送信時の現在時刻を表わす時刻情報を付加したものであってもよい。
【００３４】
また、上記目的を達成する本発明の無線通信システムは、本発明の第１の無線装置、および、
物理レイヤに置かれ、無線で送信されてきたデータを受信してトランスポートチャネルに送り込むデータ受信部と、トランスポートチャネルと複数のロジカルチャネルとの間のデータ伝送を仲介するＭＡＣサブレイヤに置かれ、トランスポートチャネルから受け取ったデータに付加されている制御情報に応じた動作を行ない、そのデータから制御情報を取り外しさらに各ロジカルチャネルに対応するデータに分離して各ロジカルチャネルに分配するデータ処理部とを備え、そのデータ処理部が、送信順序情報に基づいて送信順序を判定し、送信順序を外れて遅れて受信したデータに付加された制御情報については、その制御情報が遅れて到達したことに対応する動作を行なうものである無線装置を備えたことを特徴とする。
【００３５】
本発明の無線通信システムによれば遅れて受信されたデータ（ＰＤＵ）に付加された制御情報に基づく不用意な動作が防止される。
【００３６】
また、上記目的を達成する本発明の第２の無線装置は、
物理レイヤに置かれ、無線で送信されてきたデータを受信してトランスポートチャネルに送り込むデータ受信部と、
トランスポートチャネルと複数のロジカルチャネルとの間のデータ伝送を仲介するＭＡＣサブレイヤに置かれ、トランスポートチャネルから受け取ったデータに付加されている制御情報に応じた動作を行ない、そのデータから制御情報を取り外しさらに各ロジカルチャネルに対応するデータに分離して各ロジカルチャネルに分配するデータ処理部とを備えた無線装置において、
上記データ受信部は、無線で送信されてきたデータの受信に失敗した場合に、データ送信側に向けてデータの再送を要求する再送要求手段と、
受信に失敗した各データについての、最初に失敗した受信の受信時刻を記憶しておく受信時刻記憶手段とを備え、
データの受信に成功した場合に、今回の受信データの、失敗した受信を含む最初の受信時刻をその受信データに付加してデータ処理部に渡すものであることを特徴とする。
【００３７】
ここで、上記データ処理部は、上記時刻情報に基づいて送信順序を判定し、送信順序を外れて遅れて受信したデータに付加された制御情報についてはその制御情報が遅れて到達したことに対応する動作を行なうものであることが好ましい。
【００３８】
本発明の第２の無線装置は、データ受信部が、データの受信に失敗したときに、再送要求するとともに、受信に失敗したデータの最初に失敗した受信の受信時刻を記憶しておき、再送されてきたデータの受信に成功すると、その受信データに、記憶しておいた最初に失敗した受信の受信時刻を付加してデータ処理部（ＭＡＣエンティティ）に渡すものであるため、ＭＡＣエンティティでは、本来受信すべきであった順序を知ることができ、遅れて再送されてきたデータに付与されていた制御情報に基づく不用意な動作が防止される。
【００３９】
また、上記目的を達成する本発明の無線情報通知方法のうちの第１の無線情報通知方法は、
トランスポートチャネルと複数のロジカルチャネルとの間のデータ伝送を仲介するＭＡＣサブレイヤに置かれ、複数のロジカルチャネルから受け取ったデータを統合するとともに、受信側のＭＡＣサブレイヤに置かれた対向エンティティに渡す制御情報を付加してトランスポートチャネルに送り出すデータ処理部と、
物理レイヤに置かれ、前記データ処理部からトランスポートチャネルを経由して送られてきたデータを受け取って無線で送信するデータ送信部とを備えた無線装置における無線情報通知方法において、
上記データ処理部が、複数のロジカルチャネルから受け取ったデータを統合し、上記制御情報を付加するとともに、さらに送信順序を表わす送信順序情報を付加してトランスポートチャネルに送り出すステップを有することを特徴とする。
【００４０】
さらに、上記目的を達成する本発明の無線情報通知方法のうちの第２の無線情報通知方法は、
物理レイヤにおかれ、無線で送信されてきたデータを受信してトランスポートチャネルに送り込むデータ受信部と、
トランスポートチャネルと複数のロジカルチャネルとの間のデータ伝送を仲介するＭＡＣサブレイヤに置かれ、トランスポートチャネルから受け取ったデータに付加されている制御情報に応じた動作を行ない、そのデータから制御情報を取り外しさらに各ロジカルチャネルに対応するデータに分離して各ロジカルチャネルに分配するデータ処理部とを備えた無線装置における無線情報通知方法において、
上記データ受信部が、無線で送信されてきたデータの受信に失敗した場合に、データ送信側に向けてデータの再送を要求するとともに、受信に失敗した各データについての、最初に失敗した受信の受信時刻を記憶しておくステップと、
データの受信に成功した場合に、今回の受信データの、失敗した受信を含む最初の受信時刻をその受信データに付加してトランスポートチャネルに送り出すステップとを有することを特徴とする。
【発明の効果】
【００４１】
以上の本発明によれば、再送データのもともとの送信順序を知ることができ、不用意な誤った動作が防止される。
【発明を実施するための最良の形態】
【００４２】
以下、本発明の実施形態について説明する。
【００４３】
図５は、本発明の一実施形態が適用された通信システムの一例を示す模式図である。
【００４４】
この図５には、携帯電話機１００と、その携帯電話機１００との間で無線通信が行なわれる基地局２００とが示されいる。尚、実際の通信システムには、多数の携帯電話機や多数の基地局が存在し、さらに、多数の交換機なども存在するが、ここでは、本実施形態の説明に必要な最小限の構成のみ図示している。
【００４５】
携帯電話機１００と基地局２００との間では無線通信が行なわれ、携帯電話機１００が発信側となるときは基地局２００が受信側となり、基地局２００が発信側となるときは携帯電話機１００が受信側となる。すなわち、携帯電話機１００と基地局２００のいずれにも、送信側の構成と受信側の構成が備えられている。
【００４６】
図６は、本発明の第１の実施形態におけるデータフローを示す図である。
【００４７】
ここでは、送信側ＭＡＣエンティティで、送信順序を表わすタイムスタンプＴＳを含むＭＡＣ制御情報ＣＯＮＴを付加したＰＤＵが生成される。
【００４８】
すなわち、この図６に示す例では、送信側ＭＡＣエンティティで、最初に送信されるＰＤＵ＃１ではタイムスタンプＴＳ＝１を含むＭＡＣ制御情報ＣＯＮＴが付加され、次に送信されるＰＤＵ＃２では、タイムスタンプＴＳ＝２を含むＭＡＣ制御情報ＣＯＮＴが付加され、その次に送信されるＰＤＵ＃３では、タイムスタンプＴＳ＝３を含むＭＡＣ制御情報ＣＯＮＴが付加される。
【００４９】
受信側では、この図６に示す例では、ＰＤＵ＃１は正常に受信され、ＰＤＵ＃２は受信に失敗して再送要求がなされ、ＰＤＵ＃３は正常に受信され、さらにその後になって再送されてきたＰＤＵ＃２が正常に受信される。受信側のＭＡＣエンティティではタイムスタンプＴＳがモニタされており、タイムスタンプＴＳ＝３のＰＤＵ＃３を受信した後になってタイムスタンプＴＳ＝２のＰＤＵ＃２を受信したことが分かるため、そのＰＤＵ＃２のＭＡＣ制御情報ＣＯＮＴについては、その制御情報の種別により、その制御情報に基づく動作が既に不要になっている場合や、あるいはその制御情報に基づいて動作を行なうと弊害を生じる場合においてはその制御情報を無視し、あるいは、その制御情報の種別によっては、その制御情報が遅れて届いたためその制御情報を無視したことを送信側に通知する等の処置がなされる。
【００５０】
こうすることにより、受信したＰＤＵに付加されている制御情報を機械的に処理する場合と比べ、より円滑な通信が可能となる。
【００５１】
図７は、本発明の第１実施形態の無線送信装置を示すブロック図である。
【００５２】
この無線送信装置１０Ａは、４本のロジカルチャネルＬＣＨ＃１〜ＬＣＨ＃４を有し、各ロジカルチャネルに１つずつ合計４つのＰＤＣＰ生成部１１＿１，１１＿２，１１＿３，１１＿４と、同じく合計４つのＲＬＣ生成部部１２＿１，１２＿２，１２＿３，１２＿４が備えられている。さらに、それら４本のロジカルチャネルＬＣＨ＃１〜＃４と１本のトランスポートチャネルＴＲＣＨとの間にはＭＡＣ生成部１３が備えられている。
【００５３】
各ＰＤＣＰ生成部１１＿１，１１＿２，１１＿３，１１＿４は、各ロジカルチャネルＬＣＨ＃１〜ＬＣＨ＃４のそれぞれから受け取ったデータに秘匿処理（暗号化処理）等を施して、次の各ＲＬＣ生成部１２＿１，１２＿２，１２＿３，１２＿４に渡す。各ＲＬＣ生成部１２＿１，１２＿２，１２＿３，１２＿４は、各ロジカルチャネルＬＣＨ＃１〜ＬＣＨ＃４のデータの、ＭＡＣ生成部１３への受け渡しを管理し、各ＰＤＣＰ生成部１１＿１，１１＿２，１１＿３，１１＿４から受け取ったデータを、ＭＡＣ生成部１３が受け取ることができる状態になったときにＭＡＣ生成部１３に渡し、またＭＡＣ生成部１３に一旦渡したデータであっても通信の失敗等によりＭＡＣ生成部１３から再送要求があったときは、その要求のあったデータをＭＡＣ生成部１３に渡す。
【００５４】
ここで、この無線送信装置１０Ａには時計１７が備えられており、ＭＡＣ生成部では、ＰＤＵを生成するにあたっては、その時計１７を参照して、送信順序を表わすタイムスタンプＴＳ（図６参照）を制御情報内に記録する。あるいは、その時計を参照してタイムスタンプＴＳの代わりに現在時刻そのものを表わす時刻情報を制御情報内に記録してもよい。
【００５５】
このようにして、ＭＡＣ生成部１３は、４つのＲＬＣ生成部１２＿１，１２＿２，１２＿３，１２＿４から受け取ったデータを１本のデータに統合し、さらにヘッダＨと、タイムスタンプＴＳ又は時刻情報を含むＭＡＣ制御情報ＣＯＮＴを付加して１つのＰＤＵを生成し、その生成したＰＤＵをレイヤ１（物理層）に配置されているＬ１生成部１４に渡す。Ｌ１生成部１４では、送信部１５によりアンテナ１６を介して空中に無線送信される。
【００５６】
図８は、本発明の第１実施形態の無線受信装置を示すブロック図である。
【００５７】
この無線受信装置２０Ａにも、図８に示す無線送信装置１０Ａと同様に、４本のロジカルチャネルＬＣＨ＃１〜ＬＣＨ＃４を有し、各ロジカルチャネルに１つずつ、合計４つのＰＤＣ解析部２１＿１，２１＿２，２１＿３，２１＿４と、同じく合計４つのＲＬＣ解析部２２＿１，２２＿２，２２＿３，２２＿４が備えられている。さらにそれら４本のロジカルチャネルＬＣＨ＃１〜ＬＣＨ＃４と１本のトランスポートチャネルＴＲＣＨとの間にはＭＡＣ解析部２３が備えられている。
【００５８】
無線信号がアンテナ２６を介して受信部２５で受信され、その受信により得られた受信信号がレイヤ１（物理層）を構成するＬ１解析部２４に伝えられて、電気的な受信信号から装置内部で取り扱われる形式のデータに変換されてＭＡＣ解析部２３に伝えられる。
【００５９】
ＭＡＣ解析部２３は、Ｌ１解析部２４から受け取ったデータを、各ＲＬＣ解析部２２＿１，２２＿２，２２＿３，２２＿４に分配する。各ＲＬＣ解析部２２＿１，２２＿２，２２＿３，２２＿４は、自分が受け取るべきデータが揃っているかチェックし、未だ受け取っていないデータがあるときはＭＡＣ解析部２３に再送を要求し、受け取るべきデータが揃ったら同一ロジカルチャネルのＰＤＣＰ解析部２１＿１，２１＿２，２１＿３，２１＿４に渡す。各ＰＤＣＰ解析部２１＿１，２１＿２，２１＿３，２１＿４では秘匿データの解凍等の処理が行なわれて、各ロジカルチャネルに送り出される。
【００６０】
ここで、再送処理は、ＲＬＣ解析部２２＿１，２２＿２，２２＿３，２２＿４だけでなく、ＭＡＣ解析部２３でも、このＭＡＣ解析部２３の処理段階で足りないデータがあれば再送要求処理が行なわれ、Ｌ１解析部２４でも、受信信号を正しくを受け取れなかったときは再送要求処理が行なわれる。
【００６１】
また、ＭＡＣ解析部２３では、受け取ったデータに、対向側のＭＡＣ生成部１３で付加された、このＭＡＣ解析部２３に向けた制御情報があったときは、その制御情報に応じた動作を行なう。
【００６２】
この場合において、この制御情報にはタイムスタンプＴＳが記録されており、そのタイムスタンプＴＳを参照して、遅れて再送されてきたＰＤＵに付加された制御情報であった場合は、その制御情報の種別によって、もはや不要となった制御情報、あるいは遅れたタイミングで実行するとむしろ不都合を生じる制御信号については、無視したり、さらに送信側に連絡する等の措置が講じられる。
【００６３】
図９，図１０は、本発明の第２の実施形態におけるデータフローを示す図である。
【００６４】
この第２実施形態の場合、送信側のＭＡＣエンティティで付加されるＭＡＣ制御情報ＣＯＮＴ中に、そのＭＡＣ制御情報の種別に応じ、タイムスタンプＴＳを付与するかしないかを判定するためのフラグＦが付与される。フラグＦ＝１は、タイムスタンプＴＳが付与されていることを示し、フラグＦ＝０の場合はタイムスタンプＴＳが付与されていないことを示している。
【００６５】
図９は、フラグＦ＝１、すなわちタイムスタンプＴＳが付与される場合を示し、このときの受信側の動作は、前述の第１実施形態の場合と同様である。
【００６６】
図１０は、フラグＦ＝０、すなわちタイムスタンプＴＳが付与されていない場合を示している。フラグ＝０は、遅れて受信した場合であってもその制御情報に基づく動作を実行しても問題のない制御情報であることを意味しており、遅れて受信したＰＤＵ＃２は付加されていた制御情報についても実行される。
【００６７】
上述の第１実施形態との相違は、フラグＦの有無の相違であり、ここでは、図７に示す無線送信装置１０Ａおよび図８に示す無線受信装置２０Ａをそのまま参照して、相違点のみ説明する。
【００６８】
図７に示す無線送信装置１０Ａでは、ＭＡＣ制御部１３において、ＭＡＣ制御情報を付加するにあたり、そのＭＡＣ制御情報の種別に応じて、受信が遅れた場合は実行させないＭＡＣ制御情報についてはフラグＦ＝１を付加するとともにタイムスタンプＴＳを付加し、受信が遅れても実行させるＭＡＣ制御情報についてはフラグＦ＝０を付加してタイムスタンプＴＳは付与しない。
【００６９】
図８に示す無線受信装置２０ＡのＭＡＣ解析部１３では、受信したＰＤＵにＭＡＣ制御情報が付加されていた場合は、フラグＦを参照し、そのフラグＦがＦ＝１であったときはタイムスタンプＴＳを参照し、本来の順序で受信されたＰＤＵに付加されていたＭＡＣ制御情報については実行して、遅れて受信されたＰＤＵに付加されていたＭＡＣ制御情報については無視する。
【００７０】
一方、フラグＦを参照し、そのフラグＦがＦ＝０であったときは、そのＰＤＵが遅れて受信されたか否かにかかわらず、そのＰＤＵに付加されていたＭＡＣ制御情報に従って動作する。
【００７１】
図１１は、本発明の第３の実施形態におけるデータフローを示す図である。
【００７２】
前述の第１実施形態では、送信側のＭＡＣエンティティでは、ＭＡＣ制御情報中にタイムスタンプＴＳを含ませたが、図１１に示す第３実施形態では、ＭＡＣ制御信号中にタイムスタンプＴＳを含ませることに代わり、ヘッダＨの中に、送信順序を示すシリアルナンバＳＮを含ませている。それに対応して受信側のＭＡＣエンティティでは、受信したＰＤＵのヘッダＨ内のシリアルナンバＳＮが参照される。その他の点は前述の第１実施形態と同様である。
【００７３】
ここでは、再度、図７に示す無線送信装置１０Ａおよび図８に示す無線受信装置２０Ａをそのまま参照して、第１実施形態との相違点のみ説明する。
【００７４】
図７に示す無線送信装置１０ＡのＭＡＣ生成部１３では、ＰＤＵを生成するたびにそのＰＤＵのヘッダＨにシリアルナンバＳＮが書き込まれる。ここでは、時刻とは無関係にシリアルナンバが書き込まれるため時計１７は明示的には不要である。
【００７５】
図８に示す無線受信装置２０ＡのＭＡＣ解析部２３では、受信したＰＤＵのヘッダＨに書き込まれているシリアルナンバＳＮが参照されて、そのＰＤＵが受信受序が変更される程度に遅れて受信されたＰＤＵであるか否かが判定され、その判定結果に応じて、本来の順序で受信されたＰＤＵに付加されていた制御情報が実行され、本来の順序よりも遅れて受信されたＰＤＵに付加されていた制御情報については無視される。
【００７６】
図１２は、本発明の第４実施形態のデータフローを示す図である。
【００７７】
この第４実施形態では、送信側ＭＡＣエンティティでは、そのままＰＤＵに送信順序を表わす情報は付与されていない。その代わりに、受信側のレイヤ１（物理層）が受信したＰＤＵのＭＡＣ制御情報中に、そのＰＤＵの受信時刻を表わす時刻情報を書き込んで受信側のＭＡＣエンティティに渡す。このとき、受信に失敗し、再送を依頼したＰＤＵについては、その最初に失敗した受信の受信時刻を記憶しておき、再送により受信に成功するとその受信したＰＤＵに、その記憶しておいた、最初に受信に失敗した受信時刻を表わす時刻情報が書き込まれて受信側ＭＡＣエンティティに渡される。受信側ＭＡＣエンティティでは、レイヤ１（物理層）で書き込まれた時刻情報を参照することにより、本来の受信順序よりも遅れて受信されたＰＤＵであるか否かが判定され、制御情報の実行に反映される。
【００７８】
図１３は、本発明の第４実施形態の無線送信装置を示すブロック図である。
【００７９】
この図１３に示す無線情報装置１０Ｂは、図７に示す無線送信装置１０Ａと比べ、ＭＡＣ生成部１３の動作のみ、若干異なる。
【００８０】
すなわち、この図１３のＭＡＣ生成部１３では、図１２でも説明したように、ＰＤＵにＭＡＣ制御情報を付した場合であっても、そのＭＡＣ制御情報内にもヘッダＨ内にも、送信順序を表わす情報あるいは時刻情報等は付加されない。
【００８１】
その他の点は、図７に示す無線送信装置１０Ａの場合と同様であり、説明は省略する。
【００８２】
図１４は、本発明の第４実施形態の無線受信装置を示すブロック図である。
【００８３】
この図１４に示す無線受信装置２０Ｂには、時刻を記憶しておくメモリ２７ａ付きの時計２７が備えられており、Ｌ１解析部２４では、受信ごとにその時計を参照し、制御情報中に受信時刻を付加したＰＤＵを生成してＭＡＣ解析部２３に渡す。このときＬ１解析部２４では、受信に失敗したときは、送信側に向けて再送要求を発するとともに、その失敗した受信の受信時刻をメモリ２７ａに記憶させておく。その受信に失敗したデータと同じデータが再送され受信に成功すると、その再送されてきたデータには、メモリ２７ａに記憶させておいた時刻が付加される。あるいは、メモリ２７ａに記憶させておいた時刻と、再送の受信時刻との双方を付加してもよい。同じデータの受信に複数回失敗した後で受信に成功した場合であっても最初に失敗した受信の受信時刻が付加される。
【００８４】
ＭＡＣ解析部２３では、Ｌ１解析部２４から送られてきたＰＤＵの制御情報内の時刻情報が参照されて本来の送信順序を認識し、本来の送信順序どおりに受信されたか遅れて受信されたかが判定され、その判定結果が制御情報の実行に反映される。
【００８５】
図１４に示す無線受信装置２０Ｂのその他の点については、図８に示す無線受信装置２０Ａと同一であり、重複説明は省略する。
【００８６】
以下、本発明の各種実施形態を付記する。
【００８７】
（付記１）
トランスポートチャネルと複数のロジカルチャネルとの間のデータ伝送を仲介するＭＡＣサブレイヤに置かれ、複数のロジカルチャネルから受け取ったデータを統合するとともに、受信側のＭＡＣサブレイヤに置かれた対向エンティティに渡す制御情報を付加してトランスポートチャネルに送り出すデータ処理部と、
物理レイヤに置かれ、前記データ処理部からトランスポートチャネルを経由して送られてきたデータを受け取って無線で送信するデータ送信部とを備えた無線装置において、
前記データ処理部が、複数のロジカルチャネルから受け取ったデータを統合し、前記制御情報を付加するとともに、さらに送信順序を表わす送信順序情報を付加してトランスポートチャネルに送り出すものであることを特徴とする無線装置。
【００８８】
（付記２）
前記データ処理部は、前記制御情報のうちの特定の種別の制御情報を付加する場合に、該制御情報を付加するとともに、さらに送信順序情報を付加してトランスポートチャネルに送り出すものであることを特徴とする付記１記載の無線装置。
【００８９】
（付記３）
前記データ処理部は、前記制御情報内に送信順序情報を付加するものであることを特徴とする付記１又は２記載の無線装置。
【００９０】
（付記４）
前記データ処理部は、ヘッダ内に送信順序情報を付加するものであることを特徴とする付記１又は２記載の無線装置。
【００９１】
（付記５）
前記データ処理部は、前記送信順序情報として、最初の送信時の現在時刻を表わす時刻情報を付加するものであることを特徴とする付記１から４のうちいずれか１項記載の無線装置。
【００９２】
（付記６）
物理レイヤに置かれ、無線で送信されてきたデータを受信してトランスポートチャネルに送り込むデータ受信部と、
トランスポートチャネルと複数のロジカルチャネルとの間のデータ伝送を仲介するＭＡＣサブレイヤに置かれ、トランスポートチャネルから受け取ったデータに付加されている制御情報に応じた動作を行ない、該データから該制御情報を取り外しさらに各ロジカルチャネルに対応するデータに分離して各ロジカルチャネルに分配するデータ処理部とを備えた無線装置において、
前記データ受信部は、無線で送信されてきたデータの受信に失敗した場合に、データ送信側に向けてデータの再送を要求する再送要求手段と、
受信に失敗した各データについての、最初に失敗した受信の受信時刻を記憶しておく受信時刻記憶手段とを備え、
データの受信に成功した場合に、今回の受信データの、失敗した受信を含む最初の受信時刻を該受信データに付加して前記データ処理部に渡すものであることを特徴とする無線装置。
【００９３】
（付記７）
前記データ処理部は、前記時刻情報に基づいて送信順序を判定し、送信順序を外れて遅れて受信したデータに付加された制御情報については該制御情報が遅れて到達したことに対応する動作を行なうものであることを特徴とする付記６記載の無線装置。
【００９４】
（付記８）
請求項１から５のうちのいずれか１項記載の無線装置、および、
物理レイヤに置かれ、無線で送信されてきたデータを受信してトランスポートチャネルに送り込むデータ受信部と、トランスポートチャネルと複数のロジカルチャネルとの間のデータ伝送を仲介するＭＡＣサブレイヤに置かれ、トランスポートチャネルから受け取ったデータに付加されている制御情報に応じた動作を行ない、該データから該制御情報を取り外しさらに各ロジカルチャネルに対応するデータに分離して各ロジカルチャネルに分配するデータ処理部とを備え、前記データ処理部が、前記送信順序情報に基づいて送信順序を判定し、送信順序を外れて遅れて受信したデータに付加された制御情報については、該制御情報が遅れて到達したことに対応する動作を行なうものである無線装置を備えたことを特徴とする無線通信システム。
【００９５】
（付記９）
トランスポートチャネルと複数のロジカルチャネルとの間のデータ伝送を仲介するＭＡＣサブレイヤに置かれ、複数のロジカルチャネルから受け取ったデータを統合するとともに、受信側のＭＡＣサブレイヤに置かれた対向エンティティに渡す制御情報を付加してトランスポートチャネルに送り出すデータ処理部と、
物理レイヤに置かれ、前記データ処理部からトランスポートチャネルを経由して送られてきたデータを受け取って無線で送信するデータ送信部とを備えた無線装置における無線情報通知方法において、
前記データ処理部が、複数のロジカルチャネルから受け取ったデータを統合し、前記制御情報を付加するとともに、さらに送信順序を表わす送信順序情報を付加してトランスポートチャネルに送り出すステップを有することを特徴とする無線情報通知方法。
【００９６】
（付記１０）
物理レイヤにおかれ、無線で送信されてきたデータを受信してトランスポートチャネルに送り込むデータ受信部と、
トランスポートチャネルと複数のロジカルチャネルとの間のデータ伝送を仲介するＭＡＣサブレイヤに置かれ、トランスポートチャネルから受け取ったデータに付加されている制御情報に応じた動作を行ない、該データから該制御情報を取り外しさらに各ロジカルチャネルに対応するデータに分離して各ロジカルチャネルに分配するデータ処理部とを備えた無線装置における無線情報通知方法において、
前記データ受信部が、無線で送信されてきたデータの受信に失敗した場合に、データ送信側に向けてデータの再送を要求するとともに、受信に失敗した各データについての、最初に失敗した受信の受信時刻を記憶しておくステップと、
データの受信に成功した場合に、今回の受信データの、失敗した受信を含む最初の受信時刻を該受信データに付加してトランスポートチャネルに送り出すステップとを有することを特徴とする無線情報通知方法。
【図面の簡単な説明】
【００９７】
【図１】プロトコル構成図である。
【図２】ＭＡＣエンティティで付与された制御情報を含むＰＤＵのデータフォーマットを示す図である。
【図３】ＭＡＣエンティティで制御情報を付与する場面のデータフローを示す図である。
【図４】図２，図３を参照して説明したデータフローにおける問題点の説明図である。
【図５】本発明の一実施形態が適用された通信システムの一例を示す模式図である。
【図６】本発明の第１の実施形態におけるデータフローを示す図である。
【図７】本発明の第１実施形態の無線送信装置を示すブロック図である。
【図８】本発明の第１実施形態の無線受信装置を示すブロック図である。
【図９】本発明の第２実施形態におけるデータフローを示す図である。
【図１０】本発明の第２の実施形態におけるデータフローを示す図である。
【図１１】本発明の第３実施形態におけるデータフローを示す図である。
【図１２】本発明の第４実施形態におけるデータフローを示す図である。
【図１３】本発明の第４実施形態の無線送信装置を示すブロック図である。
【図１４】本発明の第４実施形態の無線受信装置を示すブロック図である。
【符号の説明】
【００９８】
１０Ａ，１０Ｂ    無線送信装置
１１＿１，１１＿２，１１＿３，１１＿４    ＰＤＣＰ生成部
１２＿１，１２＿２，１２＿３，１２＿４    ＲＬＣ生成部
１３    ＭＡＣ生成部
１４    Ｌ１生成部
１５    通信部
１６    アンテナ
１７    時計
２０Ａ，２０Ｂ    無線受信装置
２１＿１，２１＿２，２１＿３，２１＿４    ＰＤＣ解析部
２２＿１，２２＿２，２２＿３，２２＿４    ＲＬＣ解析部
２３    ＭＡＣ解析部
２４    Ｌ１解析部
２５    受信部
２６    アンテナ
２７    時計
２７ａ    メモリ
１００    携帯電話機
２００    基地局
【図１】
0004478180.tif 000002
【図２】
0004478180.tif 000003
【図３】
0004478180.tif 000004
【図４】
0004478180.tif 000005
【図５】
0004478180.tif 000006
【図６】
0004478180.tif 000007
【図７】
0004478180.tif 000008
【図８】
0004478180.tif 000009
【図９】
0004478180.tif 000010
【図１０】
0004478180.tif 000011
【図１１】
0004478180.tif 000012
【図１２】
0004478180.tif 000013
【図１３】
0004478180.tif 000014
【図１４】
0004478180.tif 000015